(57)【要約】  横編機を用いて、互いに離れたベース編地部の間に、実質的にウェール方向に編糸が掛け渡されたような縦糸柄部を有する編地とその編成方法とを提供する。横編機を用いて編成された編地で、ベース編地部４Ａと、別のベース編地部４Ｂと、ベース編地部４Ａから別のベース編地部４Ｂに向かって、実質的にウェール方向に編糸を折り返すように掛け渡すことで両ベース編地部４Ａ、４Ｂをつなぐ縦糸柄部３と、ベース編地部の最終コースに形成された伏せ目処理部４１とを備える。この編地は、ベース編地部４Ａを編成する過程と、別のベース編地部４Ｂを編成する過程と、これら両ベース編地部を編成する過程の間に、編地の編成終了後において、両編地部４Ａ、４Ｂの間で実質的にウェール方向に編糸が掛け渡されたようになる縦糸柄部３を形成する過程とを含む編地の編成方法により得られる。
2008136185.tif 000002
【特許請求の範囲】
【請求項１】
左右方向に延び、かつ前後方向に対向する少なくとも一対の針床を有し、前後の針床の少なくとも一方が左右にラッキング可能で、かつ前後の針床間で編目の目移しが可能な横編機を用いて編地を編成する方法であって、
ベース編地部を編成する過程と、
別のベース編地部を編成する過程と、
これら両ベース編地部を編成する過程の間に、編地の編成終了後において、両編地部の間で実質的にウェール方向に編糸が掛け渡されたようになる縦糸柄部を形成する過程とを含み、
この縦糸柄部の形成過程は、
ベース編地部における最終コースの編目を起点として、起点から引き出された編糸を左右の少なくとも一方向に離れた針に掛け渡して起点側に戻ることで掛け目を形成するステップと、
起点となった編目を伏せ目処理して最終コースの編目を減らすステップとを含み、
前記別のベース編地部の編成過程は、前記掛け目に対して行うことを特徴とする編地の編成方法。
【請求項２】
編成される編地が前後の針床の各々に係止されて互いに連続する編地部を有し、
前後の針床に係止された編地部の各々を編成する際に、前記ベース編地部を編成する過程と、縦糸柄部を形成する過程とを行い、
この縦糸柄部を形成する際の掛け目を形成するステップにおいて、起点から離れた針に編糸を掛け渡す左右の方向が、前後の針床に係止された一方の編地部と他方の編地部とで同一方向であることを特徴とする請求の範囲第１項に記載の編地の編成方法。
【請求項３】
別のベース編地部の編成に続いて、この編地部の最終コースに対してさらに縦糸柄部の形成過程と、その縦糸柄部に続くさらに別のベース編地部の編成過程とを順次交互に繰り返して行い、
各縦糸柄部を形成する際の掛け目を形成するステップにおいて、起点から離れた針に編糸を掛け渡す左右の方向が、縦糸柄部を形成する過程毎に逆になることを特徴とする請求の範囲第１項に記載の編地の編成方法。
【請求項４】
掛け目の起点側を基端とし、基端とは反対側の端部を折返し端とするとき、複数の掛け目に対して別のベース編地部を編成するのに先立って、これら掛け目の編幅方向における基端の並列順と折返し端の並列順とを逆転させておくステップを含むことを特徴とする請求の範囲第１項に記載の編地の編成方法。
【請求項５】
さらに、前記掛け目を縦糸とし、この縦糸と編幅方向に渡る横糸とが交差して織柄部を形成する過程を備え、
この織柄部を形成する過程は、
複数の掛け目の一部を対向する針床に目移しするステップと、
目移しされた掛け目と目移しされていない掛け目との間に横糸となる編糸を給糸するステップと、
掛け目を目移しするステップと横糸を給糸するステップとを繰り返すステップとを含むことを特徴とする請求の範囲第１項に記載の編地の編成方法。
【請求項６】
左右方向に延び、かつ前後方向に対向する少なくとも一対の針床を有し、前後の針床の少なくとも一方が左右にラッキング可能で、かつ前後の針床間で編目の目移しが可能な横編機を用いて編成された編地であって、
ベース編地部と、
別のベース編地部と、
ベース編地部から別のベース編地部に向かって、実質的にウェール方向に編糸を折り返すように掛け渡すことで両ベース編地部をつなぐ縦糸柄部と、
前記ベース編地部の最終コースに形成された伏せ目処理部とを備えることを特徴とする編地。
【請求項７】
ベース編地部から別のベース編地部に折り返すように掛け渡されてループ状となった編糸を折返し単位とし、この折返し単位のベース編地部側を基端とし、別のベース編地部側を折返し端とするとき、
複数の折返し単位のコース方向の並列順が、基端側と折返し端側とで逆転するように構成されたことを特徴とする請求の範囲第６項に記載の編地。
【請求項８】
両ベース編地部の間に形成された織柄部を備え、
この織柄部は、
両ベース編地部をつなぐ縦糸柄部からなる縦糸と、
この縦糸と交差し、編地の表裏に現われる横糸とからなることを特徴とする請求の範囲第６項に記載の編地。
【発明の詳細な説明】
【技術分野】
【０００１】
本発明は、互いに離れたベース編地部の間に、実質的にウェール方向に編糸が掛け渡されたようになる縦糸柄部を有する編地、または織物の柄を模した織柄部を有する編地と、それらの編成方法に関するものである。
【背景技術】
【０００２】
横編機を用いて編地の途中に複数本の編糸が並列した状態で長く掛け渡されたような組織柄を編成する方法として、特許文献１に記載の編地の編成方法がある。この方法では、編地のコース編成中の所定区間をミスすることで、ミスされた区間に給糸された編糸が渡り糸となって水平方向に延ばされる。この編成を、各コースを編成する際に繰り返すことで、編地の途中に複数本の編糸がコース方向（編成時の編幅（水平）方向）に長く掛け渡されたいわゆるミス柄を形成することができる。【０００３】
一方、横編機を用いてインレイ編地を編成する方法として、特許文献２に記載の編成方法がある。この方法では、ベース編地部の編成中にインレイ糸（挿入糸）を編目の間に挿通したインレイ編地を編成する。具体的には、まず割り増やし編成によりベース編地部のループとインレイ糸保持用ループを前後の針床の針に係止させる。次に、これらループ上にインレイ糸を掛け渡して、インレイ糸保持用ループをベース編地部のループと重ね、その後、次コースのループを形成する。【０００４】
【特許文献１】特開２００６−２２５７７６号公報
【特許文献２】特開２０００−９６３９８号公報
【発明の開示】
【発明が解決しようとする課題】
【０００５】
このように、編地の途中で、そのウェール方向（編成によりコースが増加されていく方向）に複数本の編糸が並列され、かつコース方向に編糸が掛け渡されたようなミス柄を有する編地や、編地の途中にインレイ糸が挿通された編地は既に提案されている。しかし、編地の途中に、コース方向に複数本の編糸が並列され、かつウェール方向に編糸が掛け渡されたような組織柄を有する編地や、織物のように、縦糸と横糸とが交差して織柄を形成したような編地は提案されていない。【０００６】
本発明は、上記の事情に鑑みてなされたもので、その目的の一つは、互いに離れたベース編地部の間に、実質的にウェール方向に編糸が掛け渡されたような縦糸柄部を有する編地とその編成方法とを提供することにある。【０００７】
また、本発明の他の目的は、互いに離れたベース編地部の間に、織物を模したような織柄部を有する編地とその編成方法とを提供することにある。
【課題を解決するための手段】
【０００８】
本発明に係る縦糸柄部を有する編地の編成方法は、左右方向に延び、かつ前後方向に対向する少なくとも一対の針床を有し、前後の針床の少なくとも一方が左右にラッキング可能で、かつ前後の針床間で編目の目移しが可能な横編機を用いて編地を編成する方法である。この編成方法は、ベース編地部を編成する過程と、別のベース編地部を編成する過程と、これら両ベース編地部を編成する過程の間に、編地の編成終了後において、両編地部の間で実質的にウェール方向に編糸が掛け渡されたようになる縦糸柄部を形成する過程とを含む。この縦糸柄部の形成過程は、ベース編地部における最終コースの編目を起点として、起点から引き出された編糸を左右の少なくとも一方向に離れた針に掛け渡して起点側に戻ることで掛け目を形成するステップと、起点となった編目に伏せ目処理をして最終コースの編目を減らすステップとを含む。そして、前記別のベース編地部の編成過程は、前記掛け目に対して行うことを特徴とする。【０００９】
また、本発明に係る縦糸柄部を有する編地は、左右方向に延び、かつ前後方向に対向する少なくとも一対の針床を有し、前後の針床の少なくとも一方が左右にラッキング可能で、かつ前後の針床間で編目の目移しが可能な横編機を用いて編成された編地である。そして、この編地は、ベース編地部と、別のベース編地部と、ベース編地部から別のベース編地部に向かって、実質的にウェール方向に編糸を折り返すように掛け渡すことで両ベース編地部をつなぐ縦糸柄部と、前記ベース編地部の最終コースに形成された伏せ目処理部とを備えることを特徴とする。【００１０】
一方、本発明に係る織柄部を有する編地の編成方法は、左右方向に延び、かつ前後方向に対向する少なくとも一対の針床を有し、前後の針床の少なくとも一方が左右にラッキング可能で、かつ前後の針床間で編目の目移しが可能な横編機を用いて編地を編成する方法である。この編成方法は、前記縦糸柄部を縦糸として利用する。つまり、この方法は、ベース編地部を編成する過程と、別のベース編地部を編成する過程と、これら両ベース編地部を編成する過程の間に、縦糸と編幅方向に渡る横糸とが交差して織柄部を形成する過程とを含む。ここで、織柄部を形成する過程は、ベース編地部における最終コースの編目を起点として、起点から引き出された編糸を左右の少なくとも一方向に離れた針に掛け渡して起点側に戻ることで縦糸となる複数の掛け目を形成するステップと、起点となった編目を伏せ目処理して最終コースの編目を減らすステップと、複数の掛け目の一部を対向する針床に目移しするステップと、目移しされた掛け目と目移しされていない掛け目との間に横糸となる編糸を給糸するステップと、前記掛け目を目移しするステップと横糸を給糸するステップとを繰り返すステップとを含む。そして、前記別のベース編地部の編成は、前記掛け目に続けて行うことを特徴とする。【００１１】
さらに、本発明に係る織柄部を有する編地は、左右方向に延び、かつ前後方向に対向する少なくとも一対の針床を有し、前後の針床の少なくとも一方が左右にラッキング可能で、かつ前後の針床間で編目の目移しが可能な横編機を用いて編成された編地である。この編地は、前記縦糸柄部を縦糸として利用する。つまり、この編地は、ベース編地部と、別のベース編地部と、両ベース編地部の間に形成された織柄部と、前記ベース編地部の最終コースに形成された伏せ目処理部とを備える。そして、織柄部は、ベース編地部から別のベース編地部に向かって、実質的にウェール方向に編糸を折り返すように掛け渡すことで両ベース編地部をつなぐループ状の縦糸と、この縦糸と交差し、編地の表裏に現われる横糸とからなることを特徴とする。
【発明の効果】
【００１２】
本発明の縦糸柄部を有する編地の編成方法によれば、ベース編地部の最終コースの編目を起点として、針床の左右の少なくとも一方向に離れた針に掛け目を形成すると共に、ベース編地部の最終コースの編目に伏せ目処理を行うことで、横編み機により、実質的にウェール方向に編糸が掛け渡されたような縦糸柄部をベース編地部に続いて形成することができる。さらに、この掛け目に別のベース編地部の編成を行うことで、両ベース編地部の途中に実質的にウェール方向に編糸が掛け渡されたような縦糸柄部を形成することができる。【００１３】
また、本発明の縦糸柄部を有する編地によれば、ベース編地部から別のベース編地部に向かって、実質的にウェール方向に編糸を折り返すように掛け渡して両ベース編地部をつなぐ縦糸柄部と、ベース編地部の最終コースに形成された伏せ目処理部とを備えることで、従来にない新規なデザインの編地とすることができる。その他、本発明の編地は、縦糸柄部を有することで、軽量で通気性に優れる編地とすることができる。【００１４】
本発明の織柄部を有する編地の編成方法によれば、ベース編地部の最終コースの編目を起点として、針床の左右の少なくとも一方向に離れた針に掛け目を形成すると共に、ベース編地部の最終コースの編目に伏せ目処理を行うことで、横編み機により、実質的にウェール方向に編糸を折り返すように掛け渡して両ベース編地部をつなぐループ状の縦糸を形成することができる。そのため、この掛け目の一部を対向する針床に目移しし、その状態で歯口に横糸を給糸し、順次同様に掛け目の目移しと横糸の給糸を繰り返せば、目移しする掛け目の数や場所に応じて種々のパターンの織柄部を形成することができる。さらに、この掛け目に別のベース編地部の編成を行うことで、両ベース編地部の途中に織柄部を形成することができる。【００１５】
また、本発明の織柄部を有する編地によれば、実質的にウェール方向に編糸を折り返すように掛け渡して両ベース編地部をつなぐループ状の縦糸と、この縦糸と交差し、編地の表裏に現われる横糸とで織柄部を構成することで、織物を模した織柄部を有する新規なデザインの編地とすることができる。
【図面の簡単な説明】
【００１６】
【図１】本発明に係る縦糸柄部を有するワンピースの一例の平面図である。
【図２】ワンピースの身頃に形成される縦糸柄部の繊維形状を示す拡大写真である。
【図３】本発明に係る織柄部を有する編地の一例の平面図である。
【図４】織柄部の繊維形状を示す拡大写真である。
【図５】本発明の編成方法で編成された織柄部のうち、横糸を配さず縦糸のみを形成した繊維形状を示す拡大参考写真である。
【図６】ベース編地部と縦糸柄部とを交互に複数編成する方法の一例を示す概略説明図である。
【図７】実施例１の編成方法を応用して形成したワンピースの平面図であって、（Ａ）は身頃の周方向の一部に縦糸柄部が形成されているもの、（Ｂ）は種々の形状の縦糸柄部が形成されているものを示す。
【図８】捻じれた縦糸柄部を有する本発明編地の一例の繊維形状を示す拡大写真である。
【図９】実施例1に係る縦糸柄部を形成するための編成工程第一図である。
【図１０】実施例1に係る縦糸柄部を形成するための編成工程第二図である。
【図１１】実施例1に係る縦糸柄部を形成するための編成工程第三図である。
【図１２】実施例1に係る縦糸柄部を形成するための編成工程第四図である。
【図１３】実施例1に係る縦糸柄部を形成するための編成工程第五図である。
【図１４】実施例２に係る織柄部を形成するための編成工程第一図である。
【図１５】実施例２に係る織柄部を形成するための編成工程第二図である。
【符号の説明】
【００１７】
１  ワンピース
２  身頃    ２１  前身頃    ２２  後身頃
３，３Ａ，３ａ，３ｂ，３ｃ，３ｄ，３１，３２，３３，３４，３５，３６  縦糸柄部
４，４Ａ，４Ｂ，４ａ，４ｂ，４ｃ，４ｄ，４ｅ  ベース編地部
４１  伏せ目処理部
７，８  給糸口
１０  編地
２０  捨て編地
５  織柄部
５１  縦糸
５２  横糸
【発明を実施するための最良の形態】
【００１８】
〔縦糸柄部を有する編地〕
縦糸柄部を有する本発明編地は、少なくとも一対のベース編地部と、縦糸柄部と、伏せ目処理部とを備える。図１は後述する実施例で編成したワンピースの前身頃側から見た平面図、図２はその部分拡大写真である。図１に示すように、このワンピース１は、前身頃２１と後身頃２２とを有する身頃２からなり、前身頃２１と後身頃２２とは連続した一つの筒状編地になっている。【００１９】
このワンピース１は、身頃２の途中に、実質的にウェール方向に掛け渡された編糸で形成される縦糸柄部３を有する。この縦糸柄部３は、互いに離れて配される複数のベース編地部４の間で身頃の全周に亘って形成されている。また、図２に示すように、本発明の編地をより詳細に見ると、一方のベース編地部４Ａと他方の（別の）ベース編地部４Ｂとの間に縦糸柄部３が形成された領域を有し、一方のベース編地部４Ａの最終コースには伏せ目処理部４１を備える。このような編地は、ベース編地部４の編成と、縦糸柄部３の形成を交互に行うことで得られる。【００２０】
〔織柄部を有する編地〕
一方、織柄部を有する本発明編地は、少なくとも一対のベース編地部と、織柄部と、伏せ目処理部とを備える。図３は後述する実施例２で編成した一枚ものの編地の平面図、図４は、その部分拡大写真である。【００２１】
編地１０に備える織柄部５は、実質的にウェール方向に掛け渡された縦糸５１と、この縦糸５１に交差する横糸５２で形成される。縦糸５１は、ベース編地部４Ａ，４Ｂを構成する編目に比べてループ長が長い編目を構成し、互いに離れて配される２つのベース編地部４Ａ，４Ｂの間で両ベース編地部を連結している。一方、横糸５２は、実質的にコース方向に伸びて、並列される縦糸５１の間を縫うように縦糸５１と交差している。つまり、本発明の横糸５２は、重ねられた編目の間にインレイ糸が挟み込まれた特許文献２とは異なり、コース方向に隣接する縦糸５１に挟み込まれている。また、図４に示すように、本発明の編地１０をより詳細に見ると、一方のベース編地部４Ａと他方の（別の）ベース編地部４Ｂとの間に織柄部５が形成され、一方のベース編地部４Ａの最終コースには伏せ目処理部４１を備える。【００２２】
以上の縦糸柄部を有する編地と、織柄部を有する編地とは、外観が大きく相違する。しかし、織柄部は、後述するように、縦糸柄部を構成する編糸の間に横糸を配した構成であり、両者の編成方法も共通する箇所が多い。そこで、本発明の編地と編成方法に関し、以下に、共通部分はまとめて、共通しない部分は個別により詳しく説明する。【００２３】
＜ベース編地部＞
ベース編地部（別のベース編地部）は、後述する縦糸柄部（織柄部）以外の編成組織からなる編地部分である。つまり、本発明の編地は、縦糸柄部（織柄部）を介して互いにウェール方向に離れた少なくとも一対のベース編地部を有する。これら一対のベース編地部は、縦糸柄部（織柄部）によりウェール方向に分離されて独立していても良いし、縦糸柄部（織柄部）の側方（コース方向）にまで延長されて互いに接合された状態になっていてもよい。ベース編地部の編成は、平編み、ゴム編、ガーター編など、各種編組織を単独で又は組み合わせて行うことができる。複数存在するベース編地部の各々は同じ色や柄や編組織であってもよいし、異なる色や柄や編組織であってもよい。【００２４】
＜縦糸柄部＞
縦糸柄部は、ウェール方向に離れて存在する一対のベース編地部の間をつなぐ領域で、伏せ目処理された一方のベース編地部の最終コースから延びて他方のベース編地部の第一コースに掛け渡される編糸で構成される。この編糸は、一方のベース編地部側を基端とし、他方のベース編地部側を折返し端としたループ状に形成される。ここでは、このループ状の編糸を折返し単位とする。この折り返し単位（編成時の掛け目）は、通常、ベース編地部の編目の長さよりも長尺に形成され、折り返し単位の長さは任意に選択可能である。ベース編地部の編目の長さが種々存在する場合、折返し単位の長さを、ベース編地部の編目の平均長さ又は最大長さよりも長尺にすることが考えられる。折返し単位の数は、少なくとも一つあればよく、一方のベース編地部の最終コースの編目の数と同一の数にすることも異なる数にすることも可能である。さらに、折返し単位を構成する往路の編糸と復路の編糸とは交差していてもよいし、交差していなくてもよい。この縦糸柄部は、ベース編地部と同一の編糸で構成してもよいし、別の色や素材の糸で構成してもよい。【００２５】
＜織柄部＞
織柄部は、織物を模した柄が形成され、ウェール方向に離れて存在する一対のベース編地部の間をつなぐ領域である。この織柄部は、伏せ目処理された一方のベース編地部の最終コースから延びて他方のベース編地部の第一コースに掛け渡される縦糸を備える。この縦糸は、前述した縦糸柄部を利用している。つまり、横糸を配さず、この縦糸のみで両ベース編地部をつないだ編地の写真は図５に示すように、図２と同様になる。図５に示すように、縦糸５１は、一方のベース編地部４Ａ側を基端とし、他方のベース編地部４Ｂ側を折返し端としたループ状に形成される。ここでは、このループ状の縦糸５１を折返し単位とする。この折り返し単位（編成時の掛け目）は、通常、ベース編地部の編目の長さよりも長尺に形成され、折り返し単位の長さは任意に選択可能である。ベース編地部の編目の長さが種々存在する場合、折返し単位の長さを、ベース編地部の編目の平均長さ又は最大長さよりも長尺にすることが考えられる。通常、折り返し単位の長さは２ｃｍ以上、より好ましくは３ｃｍ以上の長さを備える。また、折返し単位の数は、少なくとも一つあればよく、一方のベース編地部の最終コースの編目の数と同一の数にすることも異なる数にすることも可能である。さらに、折返し単位を構成する往路の編糸と復路の編糸とは交差していてもよいし、交差していなくてもよい。この縦糸は、ベース編地部と同一の編糸で構成してもよいし、別の色や素材の糸で構成してもよい。【００２６】
一方、織柄部の横糸は、実質的にウェール方向に掛け渡される縦糸に交差する方向に延びる編糸である。この横糸は、縦糸の表と裏に少なくとも１回ずつ現れるように縦糸と交差される。つまり、この織柄部の縦糸と横糸は、織物における縦の織り糸と横の織り糸の交差状態と同様の交差状態になる。また、横糸は、理論上、少なくとも１本あれば良いが、複数本とすることで、織柄部のデザインを種々変更できるので好ましい。そして、横糸も、縦糸と同種（同色）や異種（異色）の糸を採用することができる。【００２７】
ここで、横糸は、縦糸と交差する箇所でニットされないので、縦糸から外れないように固定することが好ましい。例えば、後述する実施例に示すように、編成する編地１０とは編幅方向に離れた位置で独立して編成される捨て編地２０に横糸５２をニットして固定する（図３を参照）。横糸５２を捨て編地２０にニットした場合は、編地の編成が終了したときに、横糸５２が編地の編幅よりも長くなるように裁断し、横糸５２を編地の編幅方向端部で縦糸５１やベース編地部に結びつけたり、あるいは、横糸５２同士を結んだりして、横糸５２が縦糸５１から外れないようにする。その他、実施例に例示するように、ベース編地部のコース方向端部において、コース方向中間部よりも縦糸と横糸との交差回数が多くなるようにして、横糸が縦糸から外れ難くなるようにしても良い。【００２８】
＜伏せ目処理部＞
伏せ目処理部は一方のベース編地部の最終コース、つまり折返し単位の基端側に形成されている。この伏せ目処理を行うことで、一方のベース編地部の最終コース側から編目が緩むことを抑制し、ベース編地部と縦糸柄部（織柄部）の適正な形を保持することができる。【００２９】
＜縦糸柄部または織柄部の縦糸の形成過程＞
縦糸柄部の形成過程には、「掛け目を形成するステップ」と「伏せ目処理を行うステップ」が含まれる。織柄部を形成する際にも、まず先に縦糸をベース編地部につなげ、続いて、縦糸の間に横糸をはめ込むように配する。織柄部の縦糸は、縦糸柄部と同様に、「掛け目を形成するステップ」と「伏せ目処理を行うステップ」を用いてベース編地部につなげる。【００３０】
（掛け目を形成するステップ）
掛け目を形成するステップは、ベース編地部における最終コースの編目を起点として、起点から左右の少なくとも一方向に離れた針に編糸を掛け渡して起点に戻ることを行う。つまり、編成時においては、起点から針床の左右方向（コース方向）の少なくとも一方に編糸を引き出して掛け目を形成するが、編地の編成終了後には、一方のベース編地部が下になり、他方のベース編地部が上になるため、一方のベース編地部の重みで折返し単位（編成時の掛け目）は下方に引っ張られ、一対のベース編地部の間で実質的にウェール方向に編糸が掛け渡された縦糸柄部（縦糸）が形成される。【００３１】
縦糸柄部（縦糸）のウェール方向の長さは、編糸で掛け目を形成する際、起点となる針と起点から離れた針との距離（以下、離隔距離という）により規定される。この起点から離れた針は、起点となる針に隣接する針であってもよいが、起点から複数針分離れた針に編糸を掛け渡すことで、長尺の掛け目を容易に形成することができる。【００３２】
また、起点から引き出した編糸の取り扱いについては、直接起点から離れた針に編糸を掛けても良いし、引き出した編糸を起点から離れた針に掛けるまでの間に、編地の編成終了後に解ける仮編みを行ってもよい。後者の場合、例えば、起点となる編目を対向する針床の針に目移しし、空針となった起点が係止されていた1針のみでウェール方向に数ウェール仮編みする。その間、他の針では何ら編成を行わない。そして、その仮編み後に、仮編み部の先端部（起点から離れた側の端部）から左右方向の離れた針に編み糸を掛け、起点側に折り返せばよい。この仮編み部分は、編地の編成終了後に縦糸柄部を挟む一対のベース編地部を引っ張ると解け、両編地部間を掛け渡すように形成されるループ状の折返し単位の一部となる。この方法によれば、離隔距離が比較的短い場合でも、仮編み部分で掛け目の長さを稼げるため、離隔距離よりも長い折返し単位を形成することができる。もっとも、起点から引き出した編糸は、起点から離れた針に掛けるまでの間に、編成（上記仮編みは含まない）は行わないようにする。起点から引き出した編糸で他の針により編成を行うと、編成された編目が新たな起点になってしまうからである。【００３３】
さらに、起点から離れた針に編糸を掛け渡す左右の方向は、左右のいずれかであっても良いし、左右の双方としてもよい。起点から左右の双方に離れた針に掛け目を形成する場合、例えば、起点から右側に離れた針に編糸を掛け、続いて起点から左側に離れた針に編糸を掛けて、その後、編糸を起点側に折り返すようにすればよい。この場合、掛け渡された編糸のうち、別のベース編地部が連続して編成される針に係止される編糸のみが、掛け目として針床に残り、この掛け目以外の針に係止される編糸は、別のベース編地部の編成を開始する前に針床から払われ、折り返し単位の長さを稼ぐ仮の掛け目となる。【００３４】
その他、編成される編地が前後の針床の各々に係止されて互いに連続する編地部を有し、前後の針床に係止された編地部の各々を編成する際に、ベース編地部を編成する過程と、縦糸柄部（織柄部）を形成する過程とを行う場合、この縦糸柄部（織柄部）を形成する際の掛け目を形成するステップにおいて、起点から離れた針に編糸を掛け渡す左右の方向を、前後の針床に係止された一方の編地部と他方の編地部とで同一方向とすることが好ましい。【００３５】
筒状やＣ字状などに編地を編成する際、前後の針床の各々に係止されて互いに連続する編地部が編成されることになる。ここで、前針床に係止された編地部と後針床に係止された編地部の双方に縦糸柄部（織柄部）を形成する場合、起点から離れた針に編糸を掛け渡す左右の方向を、前後の針床に係止された一方の編地部と他方の編地部とで同一方向とすれば、掛け目に続く別のベース編地部を編成し始める際、前後の編地部で掛け目の針床左右方向の位置が対応していることになる。そのため、前後の針床に係止された各々の掛け目に対して連続して別のベース編地部を編成する際、各ベース編地部が互いに針床の幅方向にずれて離れることなく編成を行うことができる。【００３６】
もちろん、前針床に係止される編地部では、起点から右（左）側に離れた針に掛け目を形成し、後針床に係止される編地部では、起点から左（右）側に離れた針に掛け目を形成してもよい。その場合、掛け目に続く別のベース編地部の編成前に、前後の針床に係止される掛け目をラッキングと目移しによって互いに対向する位置に移動させることが好ましい。【００３７】
また、ベース編地部の編成と縦糸柄部（織柄部）の形成とを交互に繰り返し行う場合、つまり、別のベース編地部の編成に続いて、この別の編地部の最終コースに対してさらに縦糸柄部（織柄部）の形成過程と、その縦糸柄部（織柄部）に続くさらに別のベース編地部の編成過程とを順次交互に繰り返して行う場合、各縦糸柄部（織柄部）を形成する際の掛け目を形成するステップにおいて、起点から離れた針に編糸を掛け渡す左右の方向を、縦糸柄部（織柄部）を形成する過程毎に逆にすることが好ましい。【００３８】
縦糸柄部の編成を例にすれば、図６に示すように、第一ベース編地部４aの編成→第一縦糸柄部３aの形成→第二ベース編地部４ｂの編成→第二縦糸柄部３ｂの形成→第三ベース編地部４ｃの編成→第三縦糸柄部３ｃの形成…という工程で編地の編成を行う場合を想定する。この場合、第一縦糸柄部３aで掛け目を形成する際には、起点より左側に離れた針に糸を掛け渡す。一方、第二縦糸柄部３ｂで掛け目を形成する際には、起点より右側に離れた針に糸を掛け渡す。以下、順次縦糸柄部３ｃ、３ｄの形成過程毎に、起点から編糸を針に掛け渡す左右方向を交互に変える。このような方法で編地を編成すれば、全てのベース編地部４a〜４eを針床上の一定幅領域で編成できるため、針床で編成に要する領域を最小に抑えることができる。【００３９】
もちろん、針床の幅に余裕がある限り、各縦糸柄部（織柄部）の形成過程で、起点から編糸を針に掛け渡す左右方向を同一としても構わない。【００４０】
なお、掛け目を形成するステップは、前後の針床に係止される編地部の編幅方向の側縁から行うことが好ましい。編地部の側縁の外側には、通常空針が並列されているため、この空針を起点から離れた針として編糸を掛け渡すことに利用できる。前後の針床に係止される編地部における編幅方向の中間の編目を起点として掛け目の形成を行う場合、起点の左右方向の針にはベース編地部の編目が係止されているため、これらの編目を予め別の針床に目移しして空針状態としておけばよい。【００４１】
（伏せ目処理を行うステップ）
掛け目の起点となった編目を伏せ目処理するステップにより、ベース編地部のうち、針床に係止される最終コースの編目を減らすことができる。つまり、掛け目を形成することに加えて、ベース編地部の最終コースの編目を順次伏せ目処理により減らすことで、最終的に掛け目のみが針床上に係止された状態とすることができる。それにより、掛け目に連続して別のベース編地部を編成することが可能になる。また、伏せ目処理により、ベース編地部の編目が最終コース側から緩まないようにできることは既に述べたが、さらに伏せ目処理により、編成終了後、ある折返し単位の編糸を引っ張っても、隣接する折返し単位の編糸が引き寄せられることを抑制でき、各折返し単位の編糸の長さを安定させることができる。【００４２】
通常、この伏せ目処理をするステップは、掛け目を形成するステップを行いながらなされる。例えば、起点から針床の左右方向に離れた針に編糸を繰り出し、その間にベース編地部のうち、折り返し単位の基端となる編目を伏せ目処理する。その後、離れた針に繰り出された編糸を起点にまで戻す。
【００４３】
＜織柄部の横糸の形成過程＞
一方、織柄部の横糸は、「掛け目を目移しするステップ」と「前後の針床に分かれた掛け目の間に給糸するステップ」を用いて、上述した縦糸の間に織り込ませる。【００４４】
（掛け目を目移しするステップ）
複数の掛け目を形成するステップが終了したら、この掛け目の一部を対向する針床に目移しする。この目移しにより、目移しされた掛け目が一方の針床に係止され、目移しされない掛け目が他方の針床に係止されて、掛け目が前後の針床に分かれて係止されることになる。【００４５】
（前後の針床に分かれた掛け目の間に給糸するステップ）
このステップにより、前後の針床に分かれて係止される掛け目の間に編糸（横糸）を給糸して、この横糸をコース方向に並列される複数の縦糸と交差させると共に、縦糸で編地の表側と裏側から挟み込ませることができる。【００４６】
これら横糸の形成において、掛け目を目移しする数や、どの掛け目を目移しするかは、任意に選択できる。また、縦糸の間に挟み込まれるように給糸される横糸の数も任意に選択できる。これら選択できるパラメーターを組み合わせることで、織物の３原組織である平織、綾織、朱子織、および、これらを組み合わせた織組織からなる織柄部を編地に形成できる。【００４７】
その後、同様に掛け目の目移しと横糸の給糸を繰り返して行うことで、織柄部を形成する。この繰り返しステップにおいて、目移しされる掛け目は繰り返し毎に同じでも良いし異なっても良く、任意の掛け目を選択することができる。そして、掛け目の目移しと横糸の給糸を繰り返すことで、一方の針床に係止される掛け目と他方の針床に係止される掛け目の交差する箇所で横糸が押し下げられ、縦糸の間に横糸が織り込まれた織柄部が形成されることになる。【００４８】
＜縦糸柄部または織柄部の形成態様＞
本発明の編地では、一枚ものの編地の幅方向に亘って一様な長さの折返し単位で水平方向に延びる縦糸柄部（織柄部）を形成した編地の他、以下の縦糸柄部（織柄部）の形成態様が含まれる。【００４９】
（１）筒状編地の全周に亘って一様な長さの折返し単位で水平方向に延びる縦糸柄部（織柄部）を形成する。筒状編地の場合も、一枚ものの編地で縦糸柄部（織柄部）を編成する場合と同様の編成方法で編成できる。縦糸柄部（織柄部）を有する筒状編地を編成するには、４枚ベッド横編機や、トランスファージャックを有する２枚ベッド横編機を使用することが好ましい。これらの横編機であれば、下部に配置される前後の針床で、筒状編地の前後の編地部を編成し、上部に配置される前後の針床（あるいはトランスファージャック）を、編地部の編目の目移しに使用できるので、縦糸柄部（織柄部）を有する筒状編地を総針状態で編成できる。【００５０】
（２）編地におけるベース編地部の幅方向の一部に単数または複数の縦糸柄部（織柄部）を形成する。縦糸柄部を例にすれば、図７の（Ａ）に示すように、ワンピース１の身頃２におけるベース編地部の幅方向の一部に単数または複数の縦糸柄部３１，３２を形成する。このような縦糸柄部または織柄部は、前後の身頃の双方に設けられていてもよいし、片方に設けられていても良い。また、縦糸柄部（織柄部）が前後の身頃２１、２２に亘って形成されていても良い。編地の一部に単数又は複数の縦糸柄部（織柄部）を形成することは、１枚ものの編地や筒状編地の他、カーディガンのように開き部を有するＣ字状の編地などにも適用できる。【００５１】
（３）編地のコース方向に対して斜めに傾いて伸びるように縦糸柄部（織柄部）を形成しても良い。縦糸柄部の場合、図７（Ｂ）に示すように、ワンピース１の身頃２におけるベース編地部の幅方向全長に亘って形成される縦糸柄部３３〜３６を編成することができる。例えば、縦糸柄部を形成する際の掛け目の長さを一定として、身頃２の斜め方向に延びる縦糸柄部３３や、Ｖ字状に形成される縦糸柄部３４が挙げられる。【００５２】
また、縦糸柄部を形成する際の掛け目の長さを変えて、身頃２の一方の脇から他方の脇に向かって拡がる縦糸柄部を形成することもできる。例えば、折返し単位の基端側が水平に並び、折り返し端側が傾斜して並ぶ縦糸柄部３５や、折返し単位の基端側と折返し端側の双方が傾斜して並ぶ縦糸柄部３６などが挙げられる。【００５３】
織柄部の場合、横糸が編地のコース方向に対して斜めに傾いて伸びるように織柄部を形成する。横糸を編地のコース方向に対して傾けて形成するには、例えば折り返し単位の基端側となるベース編地部の上端縁がコース方向に対して斜めになるように形成する。この場合、織柄部を形成する前に、ベース編地部の編幅を順次小さくするようにして、ベース編地部における折り返し単位の基端側に異なるコースの編目が並んだ状態とし、その後、掛け目を形成する。これにより、ベース編地部の折り返し単位の基端側が、編地のコース方向に対して斜めになった状態になり、その結果、横糸を縦糸に交差するように渡らしたときに、横糸が編地のコース方向に対して傾いて形成され、ベース編地部に連続して形成される織柄部も斜めになった状態になる。編地のコース方向に対して斜めに形成される織柄部としては、例えば、織柄部を形成する際の掛け目の長さを一定として、編地の斜め方向に帯状に延びる織柄部や、Ｖ字状に形成される織柄部が挙げられる。【００５４】
また、織柄部を形成する際の掛け目の長さを変えて、編地のコース方向における一端から他端に向かって拡がる織柄部を形成することもできる。この場合、ベース編地部の折り返し単位の基端側に同一コースの編目が並んでいれば、折返し単位の基端側が水平に並び、折り返し端が傾斜して並ぶ織柄部となり、ベース編地部の折り返し単位の基端側に異なるコースの編目が並んでいれば、折返し単位の基端側と折返し端の双方が傾斜して並ぶ織柄部となる。【００５５】
なお、各折り返し単位の長さが連続的に変化する縦糸柄部（織柄部）を形成する場合、起点から離れた針に編糸を掛け渡す方向を、ベース編地部の左右方向のうち、長い折り返し単位となる側として掛け目の形成を行うことが好ましい。例えば、図7（Ｂ）の縦糸柄部３６では右側ほど長い折り返し単位となっているため、この折返し単位を形成する際の掛け目は起点から右側に離れた針に編糸を掛け渡すことで形成すればよい。長い掛け目ほど右側の針に掛け渡され、順次短い掛け目ほど左側の針に掛け渡されることになるため、このようにすれば、各掛け目を構成する編糸の長さが異なっても、掛け目が一つの針に複数掛け渡されることを抑制できる。【００５６】
＜捻じれた縦糸柄部＞
複数の折返し単位からなる縦糸柄部には捻じれを形成することもできる。つまり、本発明編地において、ベース編地部から別のベース編地部に折り返すように掛け渡されてループ状となった編糸を折返し単位とし、この折返し単位のベース編地部側を基端とし、別のベース編地部側を折返し端とするとき、複数の折返し単位のコース方向の並列順が、基端側と折返し端側とで逆転するように構成することが好ましい。このような編地は、例えば図８に示すように、ベース編地部４Ａの最終コースに伏せ目処理部４１が形成され、このベース編地部４Ａと他のベース編地部４Ｂとの間に、一群の折返し単位ごとに捻じれが形成された縦糸柄部３Ａが形成されている。【００５７】
この構成の編地によれば、縦糸柄部を構成する複数の折返し単位群に捻じれが加わった斬新なデザインの編地とすることができる。【００５８】
このような捻じれた縦糸柄部を形成するには、掛け目の起点側を基端とし、基端とは反対側の端部を折返し端とするとき、複数の掛け目に対して別のベース編地部を編成するのに先立って、これら掛け目の編幅方向における基端の並列順と折返し端の並列順とを逆転させておくステップを含むことが好適である。掛け目の編幅方向における基端の並列順と折返し端の並列順とを逆転させるためのより具体的な手法としては、掛け目を形成する際に上記並列順を逆転させる方法と、掛け目を形成した後に上記並列順を逆転させる方法とがある。【００５９】
前者としては、例えば、起点の並列順が針床上の左から右に向かってＡ〜Ｅであった場合、起点Ａからの掛け目を起点Ａから近い左側の針に形成し、起点Ｂ…Ｅからの掛け目を順次起点Ａに対応する掛け目よりも左側のより遠い針に形成することが挙げられる。この方法によれば、各掛け目の長さは均一ではなくなるが、掛け目の折返し端側の並列順は、左から右に向かってＥ〜Ａとなり、捻じれを有する縦糸柄部を形成することができる。【００６０】
後者としては、掛け目を形成した後、これら掛け目の編幅方向の並列順を、掛け目の対向する針床への目移しと針床のラッキングにより逆転させることが挙げられる。例えば、掛け目の折返し端側の並列順が前針床上の左から右に向かってＡ〜Ｅであった場合、これらの掛け目群を一旦後針床に目移しする。次に、後針床を右方向に掛け目の数より1針少ないピッチ分右側にラッキングする。そして、掛け目Ａを対向する針床に目移しして戻し、順次掛け目Ｂは後針床を２針分、掛け目Ｃは後針床を４針分…というように左にラッキングさせてから前針床に各掛け目Ｂ、Ｃ…を目移しで戻していく。それにより、掛け目の折返し端側の並列順は、前針床の左側から右側に向かって順次Ｅ〜Ａとなり、捻じれを有する縦糸柄部を形成することができる。【００６１】
＜横編み機＞
本発明の編成方法は、４枚ベッドの横編み機で行える他、前針床、後針床からなる２枚ベッドの横編機でも行うことができる。２枚ベッドの横編機を用いて編地を編成する場合は、一本おきに空針を設けた状態で編地を編成してもよい。また、２枚ベッドの横編機を用いる場合、前後針床の一方または両方の上位にトランスファージャックを列設したトランスファージャックベッドを設けて編地を編成するようにしてもよい。
【実施例１】
【００６２】
次に、縦糸柄部の編成に係る本発明の実施例を図面に基づいて詳細に説明する。本例は、左右方向に延び、かつ、前後方向に互いに対向する前後一対の針床を有し、後針床が左右にラッキング可能で、しかも、前後の針床間で編目の目移しが可能な４枚ベッドの横編機を用いて編地を編成する。【００６３】
４枚ベッド横編機は、下部前針床と下部後針床の上に、下部の針床と同ピッチで多数の編針が列設された上部前針床と上部後針床を備えている。以下、下部前針床を単にＦＤと、下部後針床をＢＤと、上部前針床をＦＵと、上部後針床をＢＵという。【００６４】
このＢＵの針は、ＦＤの針に係止される編目の目移しに用い、ＦＵの針は、ＢＤに係止される編目の目移しに用いる。編目の目移しに使用するＦＵおよびＢＵを用いることにより、リンクス、ガーター、リブなどの表目と裏目が混在した組織柄を編成したり、編目の回し込みや、編目の重ねを行うことができる。【００６５】
本例で使用する横編機は、さらに、編機の編幅方向に摺動可能に設けられる給糸口を備える。そして、この横編機では、針床上を移動し、編成に用いるカムシステムＳ２と、目移しに用いるカムシステムＳ１、カムシステムＳ３とが搭載された、いわゆる３カムシステムのキャリッジを備える。以下、カムシステムＳ１、カムシステムＳ２、カムシステムＳ３を単にＳ１、Ｓ２、Ｓ３という。編成工程において、キャリッジの進行方向の先行側からのカムシステムを常にＳ１，Ｓ２，Ｓ３としている。これらカムシステムによりキャリッジの１回の往動または復動する間に、給糸口から給糸される編糸での編成を行なう。【００６６】
本例では、この横編機を使用して、図１に示したノースリーブのワンピースを筒状に編成する。【００６７】
このワンピース1は、後身頃２２の編地部は、主としてＢＤを、空針を設けることなく総針状態で使用して編成される。前身頃２１の編地部は、主としてＦＤを、空針を設けることなく総針状態で使用して編成される。【００６８】
以下、身頃に縦糸柄部を形成する編成方法の一例を図９〜１３の編成工程図に基づいて説明する。【００６９】
図９〜１３では、身頃２のある部分において、平編みで筒状に編成されたベース編地部に連続して縦糸柄部を形成していく編成工程が示されている。【００７０】
図９〜１３の編成工程図において、説明の便宜上、身頃の編目の数は、実際の編成で使用される数よりも少なく表示している。これらの図に示すアルファベットＡ〜Ｒは、前後に対向配置したＦＤ、ＢＤ、ＦＵ、ＢＵの針を示す。これらの図の各編成ブロックにおいて、左端の数字は編成ブロック番号を示し、その隣の括弧内の符合は、編成工程において使用するカムを示す。また、これらの図の右端欄の矢印は、後針床のラッキング方向とラッキングピッチを示し、その左隣の欄は、編成方向を示している。さらに、図中の白丸は、旧ループを、黒丸は、その編成ブロックにおいてニットされた編目を、山型の印は、掛け目を示す。【００７１】
図９に示す編成ブロックＳは、身頃の編成途中の段階で、縦糸柄部が編成される前の状態を示している。編成ブロックＳでは、ＦＤとＢＤの針Ｌ〜Ｑに編目が係止されて、身頃が編成されている状態を示している。ＦＤに係止されている編目は、前身頃の編地の編目であり、ＢＤに係止されている編目は後身頃の編地の編目である。ＦＤとＢＤの針に係止される編目は繋がっており、身頃２は、筒状に編成されている。【００７２】
図９の編成ブロック１では、まず、キャリッジを右方向に移動させ、給糸口７からＢＤに給糸して、Ｓ２により後身頃の編地の一部（ＢＤの針Ｌ，Ｍ）を編成する。【００７３】
次の編成ブロック２では、キャリッジを左方向に移動させて、編成ブロック１で編成したＢＤの針Ｍに係止される編目を、Ｓ１により、ＦＵの針Ｍに目移しする。【００７４】
また、編成ブロック２では、Ｓ１よりも後方を走行するＳ２により、ＢＤの針Ｃに編糸を掛け渡し、掛け目を形成する。この針Ｃに掛け渡される編糸は、ＦＵの針Ｍに目移しされた編目に連続している。この針Ｍから針Ｃまでの長さが、縦糸柄部の形成長さになるので、身頃のデザインをどのようにするかに応じて、針Ｍから延びる編糸をＢＤのどの針に掛け渡すかを決定すれば良い。【００７５】
さらに、編成ブロック２では、Ｓ２の後方を走行するＳ３により、ＢＤの針Ｌに係止されている編目をＦＵの針Ｌに目移しする。【００７６】
次の編成ブロック３では、まず、後針床を左に１ピッチラッキングする。このラッキングにより、ＢＤの針ＬからＦＵの針Ｌに目移しされた編目が、ＢＤの針Ｍに対向した位置になる。【００７７】
また、編成ブロック３では、ラッキング後にキャリッジを右方向に移動させ、Ｓ１によりＦＵの針Ｌに預けられていた編目をＢＤの針Ｍに目移しする。この目移しにより、もともと、ＢＤの針Ｌに係止されていた編目が、その隣の針Ｍに移動する。【００７８】
次の編成ブロック４では、まず、後針床を右に1ピッチラッキングして、前後の針床の対向状態を編成ブロックＳの状態に戻す。【００７９】
同じく編成ブロック４では、ラッキング後にキャリッジを左方向に移動させ、Ｓ１により、ＦＵの針Ｍに預けられていた編目をＢＤの針Ｍに返す。この目移しにより、ＢＤの針Ｍに重ね目が形成される。この重ね目は、重ねられる編目（編成ブロック２と３で、ＢＤの針ＬからＢＤの針Ｍに移動した編目）が、身頃の表側に現れて、凸形状をなす、いわゆる目立てがされた状態である。また、上記Ｓ１により、ＢＤの針Ｎに係止されている編目をＦＵの針Ｎに目移しし、次の掛け目を形成する前処理を同時に行なう。【００８０】
次の編成ブロック５では、キャリッジを右方向に移動させ、給糸口７からＢＤに給糸して、Ｓ２により、重ね目（ＢＤの針Ｍの編目）に編目を形成する。このとき、ＢＵの針Ｍの編目を起点として針Ｃに編糸を掛け渡して起点まで戻ってくる掛け目の形成ステップが一回行われたことになる。また、上述したブロック２〜５における編目の目移しとニットは、いわゆる伏せ目処理であり、これ以外の公知の伏せ目処理方法を使用しても良い。例えば、重ね目をするときに、ＢＤの針Ｌに係止される編目が針Ｍの編目の裏側に重ねられて、凸形状が目立たない、いわゆる目立てがされない状態としても良い。【００８１】
次に、図１０に示す編成ブロック６では、キャリッジを左方向に移動させ、給糸口７から給糸して、Ｓ２により、ＢＤの針Ｄに編糸を掛け渡して掛け目を形成する。【００８２】
また、同編成ブロック６では、Ｓ２の後方を走行するＳ３により、ＢＤの針Ｍに係止される編目をＦＵの針Ｍに目移しする。【００８３】
そして、図１０における編成ブロック７以降の編成では、掛け目の形成と伏せ目処理を繰り返すようにする。具体的には、編成ブロック７では、後針床を左に1ピッチラッキングした後、もともとＢＤの針Ｍに係止され、ＦＵの針Ｍに預けておいた編目を、ＢＤの針Ｎに目移しする。【００８４】
次いで、編成ブロック８では、後針床のラッキングピッチを元に戻しておいて（右方向に１ピッチラッキングしておいて）、編成ブロック４（図9を参照）でＦＵの針Ｎに預けておいた編目を、ＢＤの針Ｎに返して目立てがされた重ね目を形成する。また、同編成ブロックでは、次の重ね目の準備として、ＢＤの針Ｏに係止される編目を、ＦＵの針Ｏに目移ししておく。【００８５】
さらに、編成ブロック９では、ＢＤの針Ｎの重ね目に新たな編目を形成する。この時点で、ＢＤの針Ｎの編目を起点として針Ｄに編糸を掛け渡して起点まで戻ってくる掛け目の形成ステップが一回行われたことになる。また、編成ブロック６から９の目移しとニットで、２回目の伏せ目処理が行われたことになる。【００８６】
そして、編成ブロック１０では、ＢＤの針Ｎにできた新たな編目から編糸を伸ばして、ＢＤの針Ｅに掛け目を形成すると共に、上記新たな編目をＦＵの針Ｎに目移しする。編成ブロック１０が終了した時点での編目の状態は、編成ブロック６が終了した時点の編目の状態と比較して、掛け目の数が一つ増えて、ＢＤに係止される後身頃の編目の数が一つ減った状態になる。以降は、編成ブロック７〜１０を繰り返す。【００８７】
図１１の編成ブロック１１に、編成ブロック７〜１０を繰り返し、後身頃の編目に対応した５つ目の掛け目を形成した状態を示す。この編成ブロック１１が終了すると、ＢＤの針Ｇに５つ目の掛け目が形成され、ＢＤの針Ｐ，Ｑに係止されていた後身頃の編目がＦＵの針Ｐ，Ｑにそれぞれ預けられた状態になる。【００８８】
５つ目の掛け目が形成されたら、編成ブロック１２に示すように、後針床を左に１ピッチラッキングした後、キャリッジを右方向に移動させ、ＦＵの針Ｐに預けられていた編目をＢＤの針Ｑに目移しする。【００８９】
次いで、編成ブロック１３では、後針床のラッキングを元に戻して、キャリッジを左方向に移動させ、編成ブロック１２でＢＤの針Ｑに目移しした編目（元は、ＢＤの針Ｐに係止されていた編目）に、ＦＵの針Ｑの編目（元は、ＢＤの針Ｑに係止されていた編目）を重ねて重ね目を形成する。【００９０】
編成ブロック１４では、キャリッジを右方向に移動させ、編成ブロック１３で形成した重ね目にニットを行なう。【００９１】
また、編成ブロック１５では、キャリッジを左方向に移動させ、ＢＤの針Ｈに６つ目の掛け目を形成する。【００９２】
そして、編成ブロック１６では、キャリッジを右方向に移動させ、ＢＤの針Ｑに係止される編目をＦＤの針Ｑに重ねて、その重ね目にニットを行なう。以上の編成工程により、ＢＤの針Ｌ〜Ｑで編成していた後身頃の編目に対応する掛け目がＢＤの針Ｃ〜Ｈに形成される。【００９３】
後身頃に対応する掛け目の形成が終了したら、図１２に示すように、前身頃に対応する掛け目の形成を行なう。前身頃に対応する掛け目の形成も、図９〜１１を参照して説明した編成方法と基本的に同じである。なお、前身頃のベース編地部に対応する掛け目を起点から左側に離れた針に形成したのと同様に、以下の編成ブロックでは、後身頃のベース編地部に対応する掛け目も起点から左側に離れた針に形成することで、縦糸柄部に連続するベース編地部を編成し易くした。【００９４】
まず、編成ブロック１７では、キャリッジを左方向に移動させ、ＦＤに係止される前身頃の編地を１コース編成する。続いて、キャリッジを右方向に移動させ、ＦＤの針Ｌ，Ｍにニットを行なって、編目を形成する。【００９５】
編成ブロック１８では、図９を参照して説明した編成ブロック２と同様に、ＦＤの針Ｍの編目をＢＵの針Ｍに目移しし、次いで、目移しした編目から伸ばした編糸で、ＦＤの針Ｃに掛け目を作る。また、ＦＤの針Ｌの編目をＢＵの針Ｌに目移しする。【００９６】
編成ブロック１９では、まず、後針床を右方向に１ピッチラッキングした後、ＢＵの針Ｌに預けておいた編目をＦＤの針Ｍに目移しする。【００９７】
次の編成ブロック２０では、まず、後針床をラッキングして元の位置に戻し、ＢＵの針Ｍに預けておいた編目をＦＤの針Ｍに目移しして重ね目を形成する。同時に、ＦＤの針Ｎの編目をＢＵの針Ｎに目移ししておく。【００９８】
編成ブロック２１では、編成ブロック２０で形成した重ね目にニットを行なう。この編成ブロック２１により伏せ目が形成され、前身頃の編目が一つ減った状態になる。【００９９】
伏せ目形成後の編成ブロック２２では、まず、ＦＤの針Ｄに掛け目を形成し、次いで、ＦＤの針Ｍに係止される編目（編成ブロック２１で形成した編目）をＢＵの針Ｍに目移しする。この編成ブロック２２により、伏せ目により減少した編目に対応する掛け目が形成された状態になる。【０１００】
そして、編成ブロック２３で、後針床を右方向に１ピッチラッキングした後、ＢＵの針Ｍの編目をＦＤの針Ｎに目移しする。この編成が終了した時点で、既に述べた編成ブロック１９が終了した状態からＦＤに係止される前身頃の編目が一つ減り、減った編目に対応する掛け目がＦＤに形成された状態になる。【０１０１】
これ以降は、編成ブロック２０〜２３と同様の編成を繰り返すことにより、前身頃の編目が伏せ目処理されつつ、減った編目に対応する掛け目が形成され、図１３の編成ブロック２４の状態になる。編成ブロック２４に示すように、平編で編成されていたＢＤとＦＤの針Ｌ〜Ｑに係止されていた編目に連続して形成される掛け目は、それぞれＢＤとＦＤの針Ｃ〜Ｈに係止される。【０１０２】
なお、この編成ブロック２４では省略されているが、伏せ目処理される最後の一目は、公知の伏せ目処理方法による解れ止めのためのニットが行なわれているので、針床から編目を払ってしまっても、編地が解れることがない。【０１０３】
最後に、編成ブロック２５，２６により、掛け目にニットを行なって、掛け目に連続した編目を形成することで、縦糸柄部に連続して次のベース編地部を編成することができる。そして、ベース編地部を所定コース分だけ編成した後、再び図９〜１３の編成工程を行なって縦糸柄部を編成することができる。つまり、ベース編地部と縦糸柄部の編成を繰り返すことで、身頃の長さ方向に所望の数の縦糸柄部を形成することができる。【０１０４】
そして、各縦糸柄部を形成する過程において、起点から離れた針に編糸を掛け渡す針床の左右方向を、交互にすることで、針床上で編成に要する領域幅を極力小さくすることができる。【０１０５】
以上のように編地を編成することにより、今までにない新規な組織柄である縦糸柄部を身頃に形成することができ、デザイン的に優れた編地を形成できる。また、縦糸柄部を有することにより、編地を軽く仕上げることができる上、編地の通気性を向上させることができるので、編地の着心地が良い。
【実施例２】
【０１０６】
次に、織柄部の編成に係る本発明の実施例を図面に基づいて詳細に説明する。本例では、左右方向に延び、かつ、前後方向に互いに対向する前後一対の針床（前針床ＦＢと後針床ＢＢ）を有し、後針床が左右にラッキング可能で、しかも、前後の針床間で編目の目移しが可能な２枚ベッドの横編機を用いて、図３に示した一枚ものの編地を編成する。【０１０７】
本例で使用する横編機は、さらに、横編機の編幅方向に摺動可能に設けられる給糸口を備える。そして、この横編機では、針床上に列設される編針に編成動作を行なわせるカムシステムを備え、針床上を往復するキャリッジにより、給糸口から給糸される編糸で編成を行なう。【０１０８】
この横編機で編成する編地１０は、主としてＦＢを、空針を設けることなく総針状態で使用して編成される。また、図３に示すように、この編地１０とは別に、織柄部５の横糸５２を固定するための捨て編地２０を編地１０の両側に設けている。【０１０９】
以下、編地に織柄を形成する編成方法の一例を図１４〜１５の編成工程図に基づいて説明する。この図１４〜１５では、編地のある部分において、平編みで編成されたベース編地部に連続して織柄部を形成していく編成工程が示されている。【０１１０】
図１４〜１５の編成工程図において、説明の便宜上、編地の編目の数は、実際の編成に使用される数よりも少なく表示している。これらの図に示すアルファベットＡ〜ＺはＦＢの針を、ａ〜ｚはＦＢに対向配置されるＢＢの針を示す。また、図中の各編成ブロックにおける左端欄の数字、白丸、黒丸、山型の印、および矢印の意義は実施例１と同様である。【０１１１】
図１４に示す編成ブロックＳは、編地の編成途中の段階で、織柄部が編成される前の状態を示している。編成ブロックＳでは、ＦＢの針Ｋ〜Ｙに編目が係止されて、ベース編地部が編成されている状態を示している。ここで、本例では、ベース編地部の編幅を一定として編成しているが、織柄部の編成直前に順次編幅を減らすようにしても良い。この場合、ベース編地部のうち、織柄部と連結される部分で異なるコースの編目が並んだ状態となる。従って、このベース編地部に連続して形成される織柄部の横糸は、編地のコース方向に対して傾いて形成され、その結果、編地のコース方向に対して傾いた織柄部を有する編地を編成できる。【０１１２】
図１４の編成ブロック１では、まず、給糸口７からＦＢに給糸して、編地の一部（ＦＢの針Ｋ，Ｌ）を編成する。【０１１３】
次の編成ブロック２では、編成ブロック１で編成したＦＢの針Ｌに係止される編目を、ＢＢの針ｌに目移しする。次いで、ＢＢの針ｌに目移しされた編目からＦＢの針Ｃに編糸を掛け渡し、掛け目を形成する。この針ｌから針Ｃまでの長さが、織柄部のウェール方向長さになるので、編地のデザインをどのようにするかに応じて、針ｌから延びる編糸をＦＢのどの針に掛け渡すかを決定すれば良い。【０１１４】
そして、編成ブロック３では、ＦＢの針Ｋに係止されている編目をＢＢの針ｋに目移しする。【０１１５】
次の編成ブロック４では、まず、ＢＢを右に１ピッチラッキングする。このラッキングにより、編成ブロック３でＦＢの針ＫからＢＢの針ｋに目移しされた編目が、ＦＢの針Ｌに対向した位置になる。次いで、このＢＢの針ｋに預けられていた編目をＦＢの針Ｌに目移しする。この目移しにより、もともと、ＦＢの針Ｋに係止されていた編目が、その隣の針Ｌに移動する。さらに、この編成ブロック４では、ＢＢを左に1ピッチラッキングして、前後の針床の対向状態を編成ブロックＳの状態に戻し、ＢＢの針ｌに預けられていた編目をＦＢの針Ｌに返す。この目移しにより、ＦＢの針Ｌに重ね目が形成される。この重ね目は、重ねられる編目（ＦＢの針ＫからＦＢの針Ｌに移動した編目）が、編地の表側に現れて、凸形状をなす、いわゆる目立てがされた状態である。【０１１６】
次の編成ブロック５では、ＦＢの針Ｃに掛け目を形成した給糸口７を右方向（針Ｌ側）に移動させて、ＦＢに給糸し、重ね目（ＦＢの針Ｌの編目）に連続する編目を形成する。このとき、ＦＢの針Ｌの編目を起点として針Ｃに編糸を掛け渡して起点まで戻ってくる掛け目の形成ステップが一回行われたことになり、ベース編地部の伏せ目処理部から伸びる長尺の折り返し単位（縦糸）が形成される。【０１１７】
ここで、上述したブロック２〜５における編目の目移しとニットは、いわゆる伏せ目処理であり、これ以外の公知の伏せ目処理方法を使用しても良い。例えば、重ね目をするときに、ＦＢの針Ｋに係止される編目が針Ｌの編目の裏側に重ねられて、凸形状が目立たない、いわゆる目立てがされない状態としても良い。【０１１８】
以降は、上述した編成ブロック２〜５と同様の編成をＦＢに係止される残りの編目Ｌ〜Ｙに対して行う。これら編成ブロック２〜５の繰り返しにより、編成ブロックＳでＦＢの針Ｋ〜Ｙに係止されていた編目が、伏せ目処理によりＦＢから払われると共に、伏せ目処理により減少した編目に対応する掛け目が、ＦＢの針Ｃ〜Ｑに形成された状態になる（図１５の編成ブロック６を参照）。つまり、ベース編地部は、伏せ目処理部から長尺のループ状に伸びる縦糸（ＦＢの針Ｃ〜Ｑに係止される掛け目）にぶら下がった状態になる。ここで、掛け目を掛け渡す長さを順次異ならせるようにして、掛け目の上端部がベース編地部に対して斜めになるようにしても良い。【０１１９】
なお、この編成ブロック６では省略されているが、伏せ目処理される最後の一目は、公知の伏せ目処理方法による解れ止めのためのニットが行なわれているので、その編目を針床から払ってしまっても、編地が解れることがない。【０１２０】
次に、編成ブロック７で、ＦＢの針Ｆ、Ｇ、Ｈ、Ｌ、Ｍ、Ｎに係止される掛け目を、それぞれ対向するＢＢの針ｆ、ｇ、ｈ、ｌ、ｍ、ｎに目移しする。この操作により、掛け目が前後の針床に分かれて配置される。【０１２１】
そして、編成ブロック８で、ベース編地部を編成する給糸口７とは異なる給糸口８を、編地を横断するように往復させて、前後の針床に分かれて係止される掛け目の間に編糸（横糸）を給糸する。この編成ブロック８により、コース方向に並ぶ長尺の掛け目の間に横糸が挟まれた状態になる。なお、本例では、この編成ブロック８の操作は、意図するデザインの織柄部とするために複数回行なったが、１回でもかまわない。【０１２２】
編成ブロック９では、編成ブロック７でＢＢに目移しした掛け目をＦＢに返すと共に、編成ブロック７で目移ししなかったＦＢの掛け目（ＦＢの針Ｃ、Ｄ、Ｅ、Ｉ、Ｊ、Ｋ、Ｏ、Ｐ、Ｑに係止される掛け目）を、ＢＢに目移しする。この目移しの操作において、ＦＢとＢＢに係止されていた掛け目の位置が入れ替わるときに、これらの掛け目の交差部分が、横糸を挟み込みつつベース編地部側に押し下げる。【０１２３】
上述した横糸は、ベース編地部にも縦糸にもニットされていないが、図３に示すように、編地を挟んで左右に設けられた捨て編地２０にはニットされており、編地１０から抜けてしまわないようになっている。捨て編地２０にニットされている横糸５２は、後述する全ての編成が終了したときに、ベース編地部の編幅よりも長めに裁断し、縦糸やベース編地部に結びつけて固定すると良い。また、長めに裁断した横糸５２同士を結ぶと、横糸が縦糸から外れないようにできるだけでなく、編地のコース方向両端部から垂れ下がるフリンジ状の部分を形成できる。【０１２４】
その他、上述のように捨て編地を設けることなく、横糸の編成を行うこともできる。具体的には、縦糸の間に挿入した横糸を、編地の編幅方向端部の縦糸に引っ掛けるようにして折り返すことを繰り返し、一連長の横糸で織柄部の横糸の編成を行う。この場合、編地の織柄部のコース方向両端部において、中間部よりも縦糸と横糸との交差回数が多くなるようにする。例えば、本例では、図１５の編成ブロック８、９（後述する編成ブロック１０、１１）において、前後の針床に分かれて係止される掛け目の間に横糸を複数本まとめて挿入して、縦糸に挟み込ませているのに対して、針ＣおよびＱの位置（織柄部のコース方向両端部）において、横糸を一本挿入するごとに掛け目を目移しして、横糸を縦糸に挟み込ませる。この一連の編成により、織柄部のコース方向両端部において、中間部よりも縦糸と横糸との交差回数が多くなり、横糸が編地のコース方向にずれ難くなるので、織柄部の交差状態が崩れ難い。また、この編成における横糸は、一連長の編糸であるので、一端側をベース編地部に、他端を別のベース編地部に固定するだけで、横糸が縦糸から外れないようにすることができる。なお、この編成工程では、コース方向両端部での掛け目の目移しの回数が多く、糸切れの虞がある。そこで、両端部の掛け目（図１５の針ＣとＱの掛け目）に加えて、両端部近傍の２〜３の掛け目（例えば、図１５においては針ＤやＰの掛け目）を順次使用して、特定の掛け目の目移しの回数を少なくしても良い。【０１２５】
上記の編幅方向端部の縦糸に横糸を引っ掛けるようにして編成する方法は、筒状編地の全周に亘って織柄部を形成するときにも好適に利用できる。筒状編地は、その前後の編地部がそれぞれ前後の針床に分かれて係止される。そこで、前側編地部に横糸を挿入し、続けて同じ横糸を、前側編地部の端部の縦糸および後側編地部の端部の縦糸のうち、少なくとも一方に引っ掛けて引き返し、後側編地部に挿入する。このとき、横糸を引っ掛けて引き返す縦糸の位置が、編幅方向端部から編幅中央に寄り過ぎていると、横糸が前後の編地部をショートカットするように渡ってしまう。この場合、編地の周長に対して、横糸の一周の長さが短く、横糸を引っ掛けた箇所から編幅方向端部までの横糸が引っ掛けられていない縦糸の領域が、筒状部として有効に利用できない。従って、横糸を折り返す縦糸の位置は、編幅方向端部からせいぜい４〜５本目までとすることが好ましい。【０１２６】
次の編成ブロック１０では、編成ブロック８と同様に、編地を横断するように、給糸口８を複数回往復させて、ＦＢとＢＢに係止される掛け目の間に横糸を挟みこませる。【０１２７】
そして、上述した編成ブロック７〜１０を複数回繰り返す。これら編成ブロック７〜１０により、図３、４に示すように縦糸５１と横糸５２が格子状に交差する織柄部５を編地１０に形成できる。【０１２８】
最後に、全ての掛け目をＦＢの針に返し（編成ブロック１１）、返した掛け目にニットを行なって、掛け目に連続した編目を形成することで、織柄部に連続して次のベース編地部を編成することができる（編成ブロック１２）。【０１２９】
以上のように編地を編成することにより、ニット製品としては今までになかった、縦糸と横糸が交差した新規な組織柄である織柄部を編地部に形成でき、デザイン的に優れた編地とできる。【０１３０】
なお、ベース編地部を所定コース分だけ編成した後、再び図１４〜１５の編成工程を行なって織柄部を編成することができる。つまり、ベース編地部と織柄部の編成を繰り返すことで、編地のウェール方向に所望の数の織柄部を形成することができる。
【産業上の利用可能性】
【０１３１】
本発明の編成方法は、編地のウェール方向に編糸を折り返すように掛け渡して長尺のループ状とした縦糸柄部を備える新規な組織柄を編成することに好適に利用可能である。また、本発明の編地は、ベース編地部の途中に縦糸柄部を有するニット製品に利用できる。さらに、本発明の編成方法は、編地のウェール方向に編糸を折り返すように掛け渡して形成した長尺のループ状の縦糸と、この縦糸に交差する横糸とからなる織柄部を備える新規な組織柄を編成することに好適に利用可能である。そして、本発明の編地は、ベース編地部の途中に織柄部を有するニット製品に利用できる。
【図１】
2008136185.tif 000003
【図２】
2008136185.tif 000004
【図３】
2008136185.tif 000005
【図６】
2008136185.tif 000006
【図７】
2008136185.tif 000007
【図８】
2008136185.tif 000008
【図９】
2008136185.tif 000009
【図１０】
2008136185.tif 000010
【図１１】
2008136185.tif 000011
【図１２】
2008136185.tif 000012
【図１３】
2008136185.tif 000013
【図１４】
2008136185.tif 000014
【図１５】
2008136185.tif 000015
【図４】
2008136185.tif 000016
【図５】
2008136185.tif 000017
【国際調査報告】
2008136185.tif 000018
2008136185.tif 000019